(57)【特許請求の範囲】
【請求項１】
パチンコ機の機内に封入されたパチンコ球を循環経路に循環して用いる循環式パチンコ機であって、
前記循環経路は、発射制御機構によって遊技盤面に向けて発射された各パチンコ球を回収する回収部と、
前記回収部に連通してパチンコ球を貯留する貯留誘導部と、
前記貯留誘導部に貯留されたパチンコ球を打球位置に向けて送り出す球送り部材と、をそれぞれ備え、
前記貯留誘導部の側壁には、パチンコ球が通過不能な開口幅をもって前記貯留誘導部の外側に連通する開口部が形成され、
前記貯留誘導部の側壁の外面には、前記開口部を覆蓋する蓋板が取り外し可能に組み付けられ、
前記貯留誘導部の側壁の外面と前記蓋板との間には、クリーニング部材に対応する空隙部が形成され、
前記空隙部には、前記開口部に臨みかつ前記貯留誘導部を通過するパチンコ球に摺接してそのパチンコ球を清浄化するクリーニング部材が設けられていることを特徴とする循環式パチンコ機。
【請求項２】
請求項１に記載の循環式パチンコ機であって、
クリーニング部材は球送り部材の下流側に位置する貯留誘導部の部分に配置されている循環式パチンコ機。
【発明の詳細な説明】
【０００１】
【産業上の利用分野】
この発明は循環式パチンコ機において、パチンコ機内で循環させて回収使用する１群のパチンコ球の循環制御装置に関する。
【０００２】
【従来の技術】
循環式パチンコ機では機内に封入された一定個数のパチンコ球を使用し、打球位置へ送り込まれたパチンコ球を順次発射し、発射されたパチンコ球を回収して再び打球位置へ送り込み、パチンコ機内を循環させるように構成されている。
【０００３】
【発明が解決しようとする課題】
本発明は循環式パチンコ機において、循環するパチンコ球をパチンコ機内で研磨することを課題とするものである。
【０００４】
【課題を解決するための手段】
本発明の請求項１に係る循循環式パチンコ機は、パチンコ機の機内に封入されたパチンコ球を循環経路に循環して用いる循環式パチンコ機であって、
前記循環経路は、発射制御機構によって遊技盤面に向けて発射された各パチンコ球を回収する回収部と、
前記回収部に連通してパチンコ球を貯留する貯留誘導部と、
前記貯留誘導部に貯留されたパチンコ球を打球位置に向けて送り出す球送り部材と、をそれぞれ備え、
前記貯留誘導部の側壁には、パチンコ球が通過不能な開口幅をもって前記貯留誘導部の外側に連通する開口部が形成され、
前記貯留誘導部の側壁の外面には、前記開口部を覆蓋する蓋板が取り外し可能に組み付けられ、
前記貯留誘導部の側壁の外面と前記蓋板との間には、クリーニング部材に対応する空隙部が形成され、
前記空隙部には、前記開口部に臨みかつ前記貯留誘導部を通過するパチンコ球に摺接してそのパチンコ球を清浄化するクリーニング部材が設けられていることを特徴とする。
【０００５】
【作用】
したがって、請求項１の発明において、発射制御機構によって遊技盤面に向けて発射された各パチンコ球は回収部に回収される。この回収部のパチンコ球は、一旦、貯留誘導部に導入される。
貯留誘導部に導入されたパチンコ球は、球送り部材の球送り作用によって打球位置に向けて送り出され、パチンコ球が循環される。
特に、貯留誘導部の側壁の外面と蓋板との間に形成された空隙部に、貯留誘導部を通過するパチンコ球に摺接してそのパチンコ球を清浄化するクリーニング部材が設けられている。
このため、パチンコ球が貯留誘導部を通過する度毎に、そのパチンコ球がクリーニング部材によって清浄化（研磨）される。
また、貯留誘導部の側壁に対し蓋板が取り外されることによって、クリーニング部材の交換が行われる。この際、貯留誘導部のパチンコ球は、開口部を通過不能であるため、その開口部から不測に落下することが防止される。
また、請求項２の発明において、球送り部材の下流側に位置する貯留誘導部の部分に配置されたクリーニング部材によってパチンコ球を効率よく磨くことが可能となる。
【０００６】
【発明の効果】
この発明によれば、循環式パチンコ機において、循環するパチンコ球を、パチンコ機内の循環通路の貯留誘導部を通過する度毎に、そのパチンコ球をクリーニング部材によって清浄化することができる。
【０００７】
【実施例】
次に、本発明の１実施例を図面にしたがって説明する。
一定個数のパチンコ球が機内に封入され、ゲームに必要な事項を記録したカード（遊技券）のためのカード処理システムを備えた循環式パチンコ機において、木製の外枠に前方への回動可能に軸支された方形枠状の枠１の前面にはガラス扉が前方への回動可能に軸支されるとともに、枠１の裏面には枠１の開口部とほぼ等しい形状の開口部を有する方形枠状のメインセット枠２が装着され、このメインセット枠２の下部に垂立された下板２ａの裏面には横長の長方形状の取付基板３が取付けられている。取付基板３は片側の下コーナ部付近に切欠き部を有する第１取付板３Ａと、この第１取付板３Ａの切欠き部に嵌め込まれた第２取付板３Ｂとに分割されている。メインセット枠２の開口部内には裏セット枠３０を介して遊技盤２５が脱着可能に嵌め込まれている。
【０００８】
メインセット枠２の取付基板３の前面の片側には発射されたパチンコ球を遊技盤面へ誘導する発射レール４がレール台を介して内方に向って上傾した姿勢で取付けられている。
【０００９】
取付基板３の裏面の一端部に組付けられた発射制御機構において、取付基板３の第２取付板３Ｂの裏面にビス着された発射モータセット板５には発射モータ６が取付けられ、この発射モータ６の出力軸６ａには凸部７ａを有する１山のモータカム７が取付けられている。
【００１０】
発射モータセット板５の下端に形成された角筒状の取付部５ａ内には発射制御回路がプリントされたモータ制御基板８が装入されている。
【００１１】
モータカム７の内方で取付基板３に回動可能に貫挿支持された支軸１９の後端にはハンマセット板９が固定され、このハンマセット板９のモータカム７側端部にはモータカム７に摺接して転動するカムフォロア９ａが回転可能にピン着され、ハンマセット板９の反モータカム９側端部には引きばねローラ９ｂがピン着され、ハンマセット板９の上部には後方へ延出された延出部１０ａと、この延出部１０ａの前端に直交状に連接された垂立部１０ｂと、この垂立部１０ｂの下端に連接されてループ状に湾曲された取付部１０ｃとを有する球送りワイヤ１０の取付部１０ｃがボルト８１によって締着されている。
【００１２】
取付基板３に貫設された横長状のガイド孔３ａ内には横一列に配列された複数個の調整孔１２ａが貫設されてハンマセット板９側へ延出された延出部１２ｂを有する引きばね片１２が左右方向への移動可能に貫挿され、この引きばね片１２と、ハンマセット板９の引きばねローラ９ｂとにはパチンコ球を発射させる強さを設定する引きばね１３が掛架されている。
【００１３】
モータカム９の下方には枠１の下端に軸支されて枠１の前方に突出されたハンドルにハンドル軸を介して連動可能に連結されたハンドル連動カム１４と、この連動カム１４に対接されたローラ１５ａを備え、連動カム１４に対向して左右方向への揺動可能に軸支された可動片１５とが配設されている。
【００１４】
引きばね片１２の下方には取付基板３に引きばね片１２に対向して左右方向への揺動可能に吊支されて揺動角度が７段階に調整される球とび調整片１６が配設され、この球とび調整片１６の上部付近には後方へ突出された支軸１６ａが挿着されている。
【００１５】
球とび調整片１６に支軸１６ａを介して揺動可能に軸支された引きばね駆動アーム１７の上端には引きばね片１２の調整孔１２ｂ内に選択的に係入されて引きばね片１２と引きばね駆動アーム１７とを連動可能に連繋するピン１７ａが突設され、引きばね駆動アーム１７の下端には外端が可動片１５の上端に繋止されて可動片１５と引きばね駆動アーム１７とを連動可能に連結する連結ワイヤ１８の内端が繋止されている。
【００１６】
ハンドルを回動してハンドル連動カム１４の回動角度を調整すると、可動片１５および引きばね駆動アーム１７が揺動して引きばね片１２が左右方向へ進退動し、引きばね１３が伸縮して引きばね１３の弾発力が増減する。
【００１７】
ハンマセット板９が嵌着された前記支軸１９の前端には打球位置のパチンコ球を叩打して発射レール４上から遊技盤面へ向けて発射させる打球ハンマ２０がハンマセット板９との共同回動動作可能に嵌着され、この打球ハンマ２０はボルト８１によって球送りワイヤ１０とともにハンマセット板９に締結され、打球ハンマ２０の上端には発射レール４側へ突出された叩打部２０ａが形成されている。
【００１８】
取付基板３の前面に打球ハンマ２０の上下端付近にそれぞれ対向して取着された上下１対の当てゴムホルダ２２には打球ハンマ２０が打球後に衝突して打球ハンマ２０の回動端を規定する当てゴム２３がそれぞれ嵌装されている。
【００１９】
取付基板３には発射レール４の基端部の上方に配設されてパチンコ球を取付基板３の裏側から発射レール４の基端部上へ送り込むための球送り口２６が開口されるとともに、取付基板３の前面で打球位置の若干上方には打球位置のパチンコ球の転落を阻止する球止め片２７が取付けられている。
【００２０】
取付基板３の裏面には先端部が球送り口２６付近に配設された横長状の球送り樋７０が球送り口２６側へ若干下傾して取付けられ、メインセット枠２の下部裏側にはパチンコ球を待機させかつ打球位置へ誘導して還元させる待機誘導部５２Ｅが発射制御機構に対向して配設されている。
【００２１】
球送り樋７０には取付基板３の後方に垂立された横長状の後壁板７０ａと、この後壁板７０ａの上端縁に連接されて前方へ横出された上壁板７０ｂと、後壁板７０ａの前面下部にその基端から先端の内方にわたって先端に向って下傾した状態で連接されて前方へ横出され、パチンコ球が横一列に配列されて転動可能に載置される底壁板７０ｃと、後壁板７０ａおよび底壁板７０ｃにわたって開設された複数個の透視窓７０ｄとが形成され、取付基板３と球送り樋７０の後壁板７０ａとの間で底壁板７０ｃ上には適数個のパチンコ球を待機させて１個づつ打球位置へ送り込む第８循環通路４６Ｈが形成され、第８循環誘導通路４６Ｈの先端は球送り口２６に対置されている。
【００２２】
球送り樋７０の後壁板７０ａの先端には前方へ横出された上支軸７３および下支軸７４が挿着され、この下支軸７４には水平状の上片２４ａと、この上片２４ａの内端付近に直交状に垂下された下片２４ｂとを有する球送りアーム２４が前記球送りワイヤ１０の上端に対向して左右方向への揺動可能に支持されている。
【００２３】
ハンマセット板９が反時計方向へ回動して球送りワイヤ１０が外方へ傾倒したときには球送りアーム２４の下片２４ｂが球送りワイヤ１０によって外方へ押動されて球送りアーム２４が時計回り方向へ揺動する。
【００２４】
球送り樋７０の上支軸７３には球送り樋７０の先端部内に装入されて球送りアーム２４の上片２４ａ上に設置された球送り制御片２８が球送り口２６に対向して揺動可能に支持されている。この球送り制御片２８には上面が前方に向って下傾する凹曲面状で１個のパチンコ球の受取りおよび送り出しが可能な球受け部２８ａと、この球受け部２８ａの基端に連接されて上支軸７３が貫挿されたボス部２８ｂと、このボス部２８ｂに連接されて外方へ延出された延出部２８ｃとが形成され、この延出部２８ｃの先端には球送りアーム２４の上片２４ａ上に載置された錘り２９がピン着されている。
【００２５】
球送り制御片２８は錘り２９の重量によって常には球受け部２８ａが上動した揺動姿勢で保持され、球受け部２８ａの先端縁が球送り樋７０の底壁板７０ｃ上で待機するパチンコ球の先頭のパチンコ球に突き当てられている。球送りアーム２４の下片２４ｂが球送りワイヤ１０で外方へ押動されたときには錘り２９が球送りアーム２４の上片２４ａで押上げられて球送り制御片２８の球受け部２８ａが下方へ変位し、球受け部２８ａの先端縁が球送り樋７０の底壁板７０ｃの先端縁に整合され、底壁板７０ｃ上の先頭のパチンコ球が球受け部２８ａ上へ移載されて前方へ送り出され、球送り口２６を通り抜けて発射レール４の基端上の打球位置へ移載される。
【００２６】
球送り樋７０の底壁板７０ｃの中央部の下側には第８循環通路４６Ｈの中央部付近で待機するパチンコ球の有無を検出する待機球検出スイッチ（近接スイッチ）７５が取付けられ、第８循環通路４６Ｈの出口から待機球検出スイッチ７５の上方位置までの間に配列される規定数のパチンコ球が不足した待機球不足時には待機球検出スイッチ７５が検出信号を発信する。
【００２７】
メインセット枠２の取付基板３の上端に間隙を隔てて垂立された左右の壁板３ｃ，３ｄのうち、一方の壁板３ｃの内端には上部の正面形状が逆Ｖ形状で上部が壁板３ｃ上へ突出されて下部の正面形状が円弧状の球止め部材４０が連接されている。
【００２８】
球止め部材４０内の下部には発射レール４上から発射されたパチンコ球のうち、発射レール４側へ戻ったファール球を受止めて落下させる球止め片４２がその先端面を露出した状態で設置されている。
【００２９】
壁板３ｄの内端付近の下方で取付基板３の前面には図６に示すように壁板３ｄの内端縁の下端の内方にファール球を通過させる球通し口４３を隔てて縦設された内縦樋板４４ａと、この内縦樋板４４ａの下端に連接されて外方へ若干下傾した状態で横設された上横樋板４４ｂと、この上横樋板４４ｂの外端に連接されて若干外傾状に縦設された外縦樋板４４ｃと、この外縦樋板４４ｃの下端に連接されて外方へ若干下傾した状態で横設され、外端付近の端縁が円弧状に湾曲された中横樋板４４ｄと、この中横樋板４４ｄの下方に並行状に横設されて内端付近の正面形状が円弧状に形成され、外端縁付近の平面形状が円弧状に湾曲された下横樋板４４ｅと、中，上横樋板４４ｄ，４４ｅの外端付近に連接されて横断面形状が円弧状に湾曲された蓋板４４ｆとを有するファール球用の表誘導樋４４が突出形成されている。
【００３０】
表誘導樋４４の上横樋板４４ｂの外端付近と、中横樋板４４ｄの内端付近とにはファール球が通過する上下一対の球通し口４５が開口されている。
【００３１】
表誘導樋４４はその各樋板４４ａ〜４４ｅの前端面に当接されて外端縁が蓋板４４ｆの内端縁に掛止された表蓋４７によって覆蓋され、表蓋４７と取付基板３との間で表誘導樋４４内にはファール球が集合して通り抜ける第１循環通路４６Ａが形成され、取付基板３の前側の中央部にはファール球を回収して送り出す表回収誘導部５２Ａが配設されている。
【００３２】
表誘導樋４４の上，中横樋板４４ｂ，４４ｄ間には上下球通し口４５間に挿入された検出口６９ａを有し、第１循環通路４６Ａを通り抜けるパチンコ球を検出するファール球通過検出スイッチ６９が挟み込まれている。
【００３３】
取付基板３の上部には中横樋板４４ｄの外端付近と下横樋板４４ｅの外端付近との間に開設されて蓋板４４ｆによってカバーされ、第１循環通路４６Ａの先端に連通された方形孔状のファール球通し口４８が形成され、第１循環通路４５へ導入されたファール球はファール球通し口４８を通り抜けて第８循環通路４６Ｈの入口付近へ導入される。
【００３４】
メインセット枠２の裏面の開口縁には中央部に開口部３０ｂを有し、メインセット枠２にヒンジを介して後方への回動可能に組付けられて遊技盤２５の裏面をカバーする裏セット枠３０が添設されている。
【００３５】
裏セット枠３０はメインセット枠２の縦枠部２ｂに取付けられた軸受け８０を介してメインセット枠２に後方への回動可能に軸支されるとともに、裏セット枠３０はメインセット枠２の裏面の開口縁付近に回動可能にビス着された複数個の締め具３１によって遊技盤２５をサンドイッチ状に挟み込んだ状態でメインセット枠２に解放可能に固止されている。
【００３６】
裏セット枠３０の下枠部３０ａの前面にはその左右端部付近からその中央部に向ってそれぞれ緩やかな勾配で下傾する左右の帯板状の集合樋３２，３２が突出形成されて間隙を隔てて並設され、この両集合樋３２の内端縁３２ａは高低差が付与されている。
【００３７】
裏セット枠３０の下枠部３０ａの前面中央部には一方の集合樋３２の内端縁３２ａに連接されて垂下された第１仕切り板３５と、他方の集合樋３２の内端縁３２ａの下方に配設されて第１仕切り壁３５の側方に間隙を隔てて垂立された垂立片３６ａおよびこの垂立片３６ａの上端に直交状に連接された上片３６ｂを有する第２仕切り板３６とが突出形成されている。
【００３８】
裏セット枠３０の下枠部３０ａの前面にはこの下枠部３０ａの前方に垂立された横長状の裏板３７が並着され、この裏板３７の下端の中央部付近には球通し窓３８が開口されている。
【００３９】
裏セット枠３０の下枠部３０ａと裏板３７との間で両仕切り壁３５，３６間には遊技盤２５の裏面から両集合樋３２上へ転落したパチンコ球を通過させる第２循環通路４６Ｂが垂直状に形成されるとともに、一方の集合樋３２の内端付近と第２仕切り壁３６の水平片３６ｂとの間には第２球通路４６Ｂを通過したセーフ球およびアウト球を検出する前通過球検出スイッチ７６が挟み込まれている。
【００４０】
遊技盤２５の裏面へ送り出されたセーフ球および遊技盤２５の下端のアウト球受口２５ａから送り出されたアウト球は両集合樋３２上へ転落して内方へ転動し、第２循環通路４６Ｂを通り抜けて球通し窓３８内へ導入される。
【００４１】
取付基板３の裏面の上端付近には後方へ水平状に突出された支持板３ｅが取付基板３のほぼ全長にわたって形成され、この支持板３ｅ中央部付近には球通し窓３８を通り抜けて落下したセーフ球およびアウト球を通過させる切り欠き部３ｆが形成されている。
【００４２】
取付基板３の裏面中央部の上端付近には図７に示すように球通し窓３８の下方に縦設されて支持板３ｅの切り欠き部３ｆの端縁に連接された縦樋板５０ａと、この縦樋板５０ａの下端に連接されて内方へ下傾した上樋板５０ｂと、この上樋板５０ｂの先端に連接されて上樋板５０ｂの傾斜方向と同方向へ下傾した中樋板５０ｃと、この中樋板５０ｃの両端部にそれぞれ連接されて正面形状がほぼ左右対称の円弧状に湾曲した左右の下樋板５０ｄ，５０ｅと、中樋板５０ｃおよび右下樋板５０ｅの側方に設置されて上部が垂直状で下部が円弧状の側樋板５０ｆと、左下樋板５０ｄの円弧中心位置に配設された突片５０ｇとを有する裏誘導樋５０が突出形成され、この裏誘導樋５０は各樋板５０ａ〜５０ｆおよび突条５ｇの後端縁に当接された裏蓋５１によって覆蓋されている。裏蓋５１にはパチンコ球を透視するための透視窓５１ａ〜５１ａが開設されている。
【００４３】
取付基板と裏蓋５１との間で、上樋板５０ｂ上、中樋板５０ｃ上および右下樋板５０ｅと側樋板５０ｆとの間にはアウト球およびセーフ球を貯留および通過させる第３循環通路４６ｃが形成され、左下樋板５０ｄと突片５０ｇとの間には第８循環通路４６Ｈに連通された第７循環通路４６Ｇが第８循環通路４６Ｈの入口に向って上傾した状態で形成され、取付基板３の後側の中央部にはセーフ球およびアウト球を回収して送り出す裏回収誘導部５２Ｂ（この発明の回収部に相当する）が配設されている。
【００４４】
取付基板３の前面中央部の下端付近には前記待機球検出スイッチ７５の検出信号に基づいて回転制御されるステッピングモータ型の球送りモータ５８が取付けられるとともに、取付基板３の裏面中央部には裏誘導樋５０の下方に連設されて取付基板３を挟んで球送りモータ５８に締結された樋本体５４が取付けられている。
【００４５】
樋本体５４には縦長状の樋部５５と、この樋部５５の下部に連接された後方開放の箱形状の取付部５６とが形成され、樋部５５にはその後面の両側縁に垂直状に突設された左右の外突条５５ａと、その後面の中央部に垂直状に突設された中突条５５ｂとが並行状に形成されるとともに、両外突条５５ａと中突条５５ｂとの間には左右１対の溝部５５ｃ，５５ｃが並行状に形成されている。
【００４６】
樋本体５４の樋部５５の下端には丸孔状の前通し孔５５ｄが開口され、この前通し孔５５ｄの孔縁の下部には円弧状に湾曲されて両外突条５５ａの下端に連接された下突条５５ｅが突設され、樋部５５の左右端面の上端にはそれぞれ軸部５５ｆが横出されている。
【００４７】
樋本体５４の取付部５６にはモータ基板ボックス５７の前端部が挿入され、このモータ基板ボックス５７内には球送りモータ５８が接続されたモータ基板５９が設置されている。
【００４８】
樋本体５４の樋部５４ａの後側に重ね合わされた樋カバー６０の上端の左右端部にはそれぞれ樋本体５４の軸部５５ｆが嵌挿された左右１対の軸受部６０ａが形成され、樋カバー６０は樋本体５４に両軸部５５ｆおよび両軸受部６０ａを介して上方への回動可能に連結されている。
【００４９】
樋カバー６０には樋本体５４の両溝部５５ｃにそれぞれ対向して縦長状の溝部６０ｂ，６０ｂが左右並行状に形成されるとともに、樋カバー６０の下端には樋本体５４の前通し孔５５ｄに対向して丸孔状の後通し孔６０ｃが開口され、溝部６０ｂの両側壁面には横断面が三角形状のリブ６０ｄがパチンコ球の通過不能な間隙を隔てて垂直方向に沿って相対向状に突設されている。
【００５０】
裏回収誘導部５２Ｂの下方には樋本体５４の両溝部５５ｃと樋カバー６０の両溝部６０ｂとによって形成されて、パチンコ球が縦２列に配列されて貯留される貯留誘導部５２Ｃが配設され、この貯留誘導部５２Ｃには第４循環通路４６Ｄおよび第６循環通路４６Ｆが並行状に形成され、第４循環通路４６Ｄの上端は第３循環通路４６Ｃの下端に連通され、第６循環通路４６Ｆの上端は第７循環通路４６Ｇの下端に連通されている。
【００５１】
貯留誘導部５２Ｃのパチンコ球を必要時に待機誘導部５２Ｄへ送り出すために設けた球送り出し機構において、樋本体５４の前通し孔５５ｄと樋カバー６０の後通し孔６０ｃ内には球送りモータ５８の出力軸５８ａに嵌着された球送り歯車６８（この発明の球送り部材に相当する）が装入され、この球送り歯車６８の外周面には縦断面形状が円弧状で周方向へ６０°の回転対称状に配列された６個の球受け部６８ａが凹設され、球送り歯車６８は各球受け部６８ａが第４循環通路４６Ｄの直下位置および第６循環通路４６Ｆの直下位置へ順次変位するように回転制御される。
【００５２】
第４、第６循環通路４６Ｄ，４６Ｆの下方には貯留誘導部５２Ｃのパチンコ球を上方から上方へＵターン状に曲進移送させる第５循環通路４６Ｅが球送り歯車６８の各球受け部６８ａによって形成されるとともに、貯留誘導部５２Ｃの途中には球送り出し部５２Ｄが配設されている。
【００５３】
球送り歯車６８は球送りモータ５８によって時計回り方向へ６０°づつ間欠的に回転駆動され、球送り歯車６８が６０°回転すると、第４循環通路４６Ｄ内の先頭のパチンコ球が第５循環通路４６Ｅ内へ進入して球送り歯車６８の球受部６８ａで受止められ第５循環通路４６Ｅ内の先頭のパチンコ球が第６循環通路４６Ｆ内へ進入し、第６循環通路４６Ｆ内の先頭のパチンコ球が押出されて第７循環通路４６Ｇ内へ進入し、第７循環通路４６Ｇ内の先頭のパチンコ球が押出されて第８循環通路４６Ｈ内へ進入する。
【００５４】
樋本体５４の樋部５４ａの中央部付近の前側には取付基板３に凹設された凹部３ｇ内に嵌挿されて第４循環通路４６Ｄ内のパチンコ球の不足を検出して検出信号を発信する貯留球検出スイッチ７７が設置され、球詰りなどの原因によって第４循環通路４６Ｄ内のパチンコ球が不足したときにはこの貯留球検出スイッチ７７の検出信号に基づいて貯留球不足状態が外部に報知される。
【００５５】
樋カバー６０の後側には樋カバー６０の左側の溝部（この発明の開口部に相当する）６０ｂを覆蓋する蓋板６３が重ね合わされ、この蓋板６３には縦長状の蓋部６３ａと、この蓋部６３ａの中央部に連接されて側方へ延出された係止部６３ｂとが形成され、蓋部６３ａの側縁には樋カバー６０の反係止部６３ｂ側の側縁６０ｅに係合された係合部６３ｃが縦設され、蓋板６３はこの係合部６３ｃと係止部６３ｂとによって樋カバー６０に取外し可能に組付けられている。
【００５６】
蓋板６３の蓋部６３ａの上下端部には楕円孔状の通し孔６３ｄがそれぞれ貫設されるとともに、蓋部６３ａの前面には樋カバー６０の左側の溝部６０ｂに対置された縦長状の溝部６４が両通し孔６３ｄ間にわたって凹設されている。
【００５７】
蓋板６３の溝部６４と、樋カバー６０の左側の溝部（この発明の開口部に相当する）６０ｂとの間には、縦長状に形成されて第６循環通路４６Ｆに連通された空隙部６５が形成され、その空隙部６５内には第６循環通路４６Ｆを通過するパチンコ球に摺接して第６循環通路４６Ｆ内のパチンコ球を清浄化する左右１対の紐状のクリーニング部材６６，６６が並行状に挿通されている。
【００５８】
続いて、上記した構成をもつ実施例の作用と効果を説明する。
本例では打球位置のパチンコ球を遊技盤面に向けて発射させる発射制御機構の近傍にはファール球を回収して誘導する表回収誘導部５２Ａと、セーフ球およびアウト球を回収して誘導する裏回収誘導部５２Ｂと、パチンコ球を貯留して誘導する貯留誘導部５２Ｃと、この貯留誘導部５２Ｃのパチンコ球を積極的に送り出す球送り出し部５２Ｄと、一定個数のパチンコ球を待機させて打球位置へ還元させる待機誘導部５２Ｅとを集中的に配置してある。
【００５９】
このため、１群のパチンコ球を循環制御する循環制御機構全体をコンパクト化してそのスペースを縮小することができるとともに、打球位置から発射された各パチンコ球を回収して貯留し、再び打球位置へ還元させるまでの各パチンコ球の循環動作を円滑に順行させることができる。
【図面の簡単な説明】
【図１】  本発明の１実施例を示す要部の一部破断裏面図である。
【図２】  メインセット枠、遊技盤および裏セット枠の分解斜視図である。
【図３】  要部の裏面図である。
【図４】  球送り樋付近の分解斜視図である。
【図５】  図１のＸ１−Ｘ１線拡大断面図である。
【図６】  表回収誘導部の分解斜視図である。
【図７】  裏回収誘導部および貯留誘導部付近の分解斜視図である。
【図８】  図１のＸ２−Ｘ２線拡大面図である。
【図９】  図１のＸ３−Ｘ３線拡大断面図である。
【図１０】  図３のＸ４−Ｘ４線拡大断面図である。
【図１１】  図１のＸ５−Ｘ５線拡大断面図である。
【図１２】  図１のＸ６−Ｘ６戦拡大断面図である。
【符号の説明】
５２Ａ  表回収誘導部
５２Ｂ  裏回収誘導部（回収部）
５２Ｃ  貯留誘導部
５２Ｅ  待機誘導部
６０ｂ  溝部
６３  蓋板
６６  クリーニング部材
６８  球送り歯車（球送り部材）
【図１】
0003670236.tif 000002
【図２】
0003670236.tif 000003
【図３】
0003670236.tif 000004
【図４】
0003670236.tif 000005
【図５】
0003670236.tif 000006
【図６】
0003670236.tif 000007
【図７】
0003670236.tif 000008
【図８】
0003670236.tif 000009
【図９】
0003670236.tif 000010
【図１０】
0003670236.tif 000011
【図１１】
0003670236.tif 000012
【図１２】
0003670236.tif 000013